(57)【要約】【課題】温度測定又は熱シミュレーションを行うことなく、二つの部品が接触する接触面の熱コンダクタンス分布データを生成することができる熱コンダクタンス分布データ生成装置、熱コンダクタンス分布データ生成方法及び熱コンダクタンス分布データ生成用プログラムを提供する。【解決手段】本発明に係るデータ生成装置１は、二つの部品が接触する接触面の熱コンダクタンス分布データを生成するものであって、接触面の圧力分布データを取得する取得部１１と、取得部１１により取得された圧力分布データを複数の同一サイズを有するセルに分割し、分割された各セル内の圧力を一つの値となるように平滑化する平滑化部１２と、平滑化部１２により平滑化された各セル内の圧力を熱コンダクタンスに変換し、熱コンダクタンス分布データを生成するデータ生成部１３と、を備える。【選択図】図１
2020118512.tif 000002
【特許請求の範囲】
【請求項１】
二つの部品が接触する接触面の熱コンダクタンス分布データを生成する熱コンダクタンス分布データ生成装置であって、
前記接触面の圧力分布データを取得する圧力分布データ取得手段と、
前記圧力分布データ取得手段により取得された前記圧力分布データを複数のセルに分割し、分割された各セル内の圧力を一つの値となるように平滑化する圧力分布データ平滑化手段と、
前記圧力分布データ平滑化手段により平滑化された各セル内の圧力を熱コンダクタンスに変換し、前記熱コンダクタンス分布データを生成するデータ生成手段と、
を備える、
熱コンダクタンス分布データ生成装置。
【請求項２】
請求項１に記載の熱コンダクタンス分布データ生成装置であって、
複数の前記セルは、同一サイズを有する、
熱コンダクタンス分布データ生成装置。
【請求項３】
請求項２に記載の熱コンダクタンス分布データ生成装置であって、
各セルは、その両辺のいずれも１．５ｍｍ以下である、
熱コンダクタンス分布データ生成装置。
【請求項４】
請求項１から３のいずれか１項に記載の熱コンダクタンス分布データ生成装置であって、
前記接触面の歪み情報を取得する歪み取得手段と、
前記歪み取得手段により取得された前記接触面の歪み情報に基づき、前記圧力分布データを複数のセルに分割するセル分割数を決定する分割数決定手段と、
を更に備え、
前記圧力分布データ平滑化手段は、前記分割数決定手段により決定されたセル分割数に基づき、前記圧力分布データを複数のセルに分割する、
熱コンダクタンス分布データ生成装置。
【請求項５】
請求項４に記載の熱コンダクタンス分布データ生成装置であって、
前記分割数決定手段は、前記接触面の歪みが大きいほど、前記セル分割数が大きくなるように前記セル分割数を決定する、
熱コンダクタンス分布データ生成装置。
【請求項６】
請求項１から５のいずれか１項に記載の熱コンダクタンス分布データ生成装置であって、
前記圧力分布データ平滑化手段は、分割された各セル内の圧力の最大値を当該セルの圧力として算出する、
熱コンダクタンス分布データ生成装置。
【請求項７】
請求項１から５のいずれか１項に記載の熱コンダクタンス分布データ生成装置であって、
前記圧力分布データ平滑化手段は、分割された各セル内の圧力の平均値を当該セルの圧力として算出する、
熱コンダクタンス分布データ生成装置。
【請求項８】
請求項１から７のいずれか１項に記載の熱コンダクタンス分布データ生成装置であって、
接触面の歪みがない状態を基に算出した圧力と熱コンダクタンスとの所定関係式を記憶するメモリーを更に備え、
前記データ生成手段は、前記メモリーに記憶された前記所定関係式に基づき、各セル内の圧力を熱コンダクタンスに変換する、
熱コンダクタンス分布データ生成装置。
【請求項９】
請求項１から７のいずれか１項に記載の熱コンダクタンス分布データ生成装置であって、
前記部品の材質に応じた、材質毎に接触面の歪みがない状態を基に算出した圧力と熱コンダクタンスとの所定関係式を記憶するメモリーと、
前記部品の材質に基づき、前記メモリーに記憶された複数の所定関係式から一つの所定関係式を決定する関係式決定手段と、を更に備え、
前記データ生成手段は、前記関係式決定手段により決定された前記所定関係式に基づき、各セル内の圧力を熱コンダクタンスに変換する、
熱コンダクタンス分布データ生成装置。
【請求項１０】
二つの部品が接触する接触面の熱コンダクタンス分布データを生成する熱コンダクタンス分布データ生成方法であって、
前記接触面の圧力分布データを取得するステップと、
取得された前記圧力分布データを複数のセルに分割し、分割された各セル内の圧力を一つの値となるように平滑化するステップと、
平滑化された各セル内の圧力を熱コンダクタンスに変換し、前記熱コンダクタンス分布データを生成するステップと、
を含む、
熱コンダクタンス分布データ生成方法。
【請求項１１】
熱コンダクタンス分布データ生成用プログラムであって、
コンピュータに、
二つの部品が接触する接触面の圧力分布データを取得するステップと、
取得された前記圧力分布データを複数のセルに分割し、分割された各セル内の圧力を一つの値となるように平滑化するステップと、
平滑化された各セル内の圧力を熱コンダクタンスに変換し、熱コンダクタンス分布データを生成するステップと、
を実行させる、
熱コンダクタンス分布データ生成用プログラム。
【発明の詳細な説明】
【技術分野】
【０００１】
本発明は、熱コンダクタンス分布データ生成装置、熱コンダクタンス分布データ生成方法及び熱コンダクタンス分布データ生成用プログラムに関する。
【背景技術】
【０００２】
特許文献１には、二つの部品が接する接触面の接触状態に応じた、熱抵抗を得るための熱抵抗情報を保持する保持部を備え、接触状態を設定し、設定された接触状態に対応する熱抵抗情報に基づき、熱伝導率を算出し、算出された熱伝導率を含むデータを生成するデータ生成装置が開示されている。
【先行技術文献】
【特許文献】
【０００３】
【特許文献１】特開２００７−３１６０３２号公報
【発明の概要】
【発明が解決しようとする課題】
【０００４】
しかしながら、特許文献１に記載のデータ生成装置では、二つの部品が接触する接触面の歪み（うねり）による接触圧力の偏り又は、二つの部品の接触による部品の表面形状の変形等を考慮せずに、接触面の全体の熱抵抗（すなわち、熱コンダクタンスの逆数）データを生成する。このため、接触面の全体の熱抵抗分布ではなく、平均値に過ぎない接触面の熱抵抗しか得られないという問題点があった。
【０００５】
本発明は、このような問題点に着目してなされたものであり、温度測定又は熱シミュレーションを行うことなく、二つの部品が接触する接触面の熱コンダクタンス分布データを生成することができる熱コンダクタンス分布データ生成装置、熱コンダクタンス分布データ生成方法及び熱コンダクタンス分布データ生成用プログラムを提供することを目的とする。
【課題を解決するための手段】
【０００６】
本発明のある一つの態様によれば、二つの部品が接触する接触面の熱コンダクタンス分布データを生成する熱コンダクタンス分布データ生成装置であって、前記接触面の圧力分布データを取得する圧力分布データ取得手段と、前記圧力分布データ取得手段により取得された前記圧力分布データを複数のセルに分割し、分割された各セル内の圧力を一つの値となるように平滑化する圧力分布データ平滑化手段と、前記圧力分布データ平滑化手段により平滑化された各セル内の圧力を熱コンダクタンスに変換し、前記熱コンダクタンス分布データを生成するデータ生成手段と、を備える、熱コンダクタンス分布データ生成装置が提供される。
【０００７】
本発明のある他の態様によれば、二つの部品が接触する接触面の熱コンダクタンス分布データを生成する熱コンダクタンス分布データ生成方法であって、前記接触面の圧力分布データを取得するステップと、取得された前記圧力分布データを複数のセルに分割し、分割された各セル内の圧力を一つの値となるように平滑化するステップと、平滑化された各セル内の圧力を熱コンダクタンスに変換し、前記熱コンダクタンス分布データを生成するステップと、を含む、熱コンダクタンス分布データ生成方法が提供される。
【０００８】
本発明のあるその他の態様によれば、熱コンダクタンス分布データ生成用プログラムであって、コンピュータに、二つの部品が接触する接触面の圧力分布データを取得する処理と、取得された前記圧力分布データを複数のセルに分割し、分割された各セル内の圧力を一つの値となるように平滑化する処理と、平滑化された各セル内の圧力を熱コンダクタンスに変換し、熱コンダクタンス分布データを生成する処理と、を実行させる、熱コンダクタンス分布データ生成用プログラムが提供される。
【発明の効果】
【０００９】
これらによれば、温度測定又は熱シミュレーションを行うことなく、二つの部品が接触する接触面の熱コンダクタンス分布データを生成することができる。
【図面の簡単な説明】
【００１０】
【図１】図１は、本実施形態に係るデータ解析システムを示すブロック図である。
【図２】図２は、二つの部品がねじ締めにより接触する状態を示す概略図である。
【図３】図３は、ねじ締めにより二つの部品間に挟み込まれた感圧シートの一例を示す平面図である。
【図４】図４は、メモリーに記憶された歪み・セル分割数テーブルの一例を示す図である。
【図５】図５は、接触面の歪みがない状態において測定した実測値を基に算出した圧力と熱コンダクタンスとの所定関係式の一例を示すグラフである。
【図６Ａ】図６Ａは、複数のセルに分割された接触面の圧力分布データ（平滑化前）の一例を示す図である。
【図６Ｂ】図６Ｂは、図６Ａにおいて一点鎖線で囲まれた一行セルの圧力分布を示すグラフである。
【図７Ａ】図７Ａは、複数のセルに分割された接触面の圧力分布データ（平滑化後）の一例を示す図である。
【図７Ｂ】図７Ｂは、図７Ａにおいて一点鎖線で囲まれた一行セルの圧力分布を示すグラフである。
【図８Ａ】図８Ａは、接触面の熱コンダクタンス分布データの一例を示す図である。
【図８Ｂ】図８Ｂは、図８Ａにおいて一点鎖線で囲まれた一行セルの熱コンダクタンス分布を示すグラフである。
【図９】図９は、データ生成装置が接触面の熱コンダクタンス分布データを生成する処理を示すフローチャートである。
【図１０】図１０は、図９の圧力分布データの分割処理を示すフローチャートである。
【図１１】図１１は、図９の熱コンダクタンス分布データの生成処理を示すフローチャートである。
【発明を実施するための形態】
【００１１】
以下、添付図面を参照しながら本実施形態について説明する。本明細書においては、全体を通じて、同一の要素には同一の符号を付する。
【００１２】
［データ解析システム］
まず、図１から図３を参照しながら本実施形態に係るデータ解析システム１００について説明する。
【００１３】
図１は、本実施形態に係るデータ解析システム１００を示すブロック図である。図２は、二つの部品７，８がねじ締めにより接触する状態を示す概略図である。図３は、ねじ締めにより二つの部品７，８間に挟み込まれた感圧シート９の一例を示す平面図である。
【００１４】
図１に示すように、本実施形態に係るデータ解析システム１００は、熱コンダクタンス分布データ生成装置１、圧力分布データ出力部２、歪み検出部３、材質選択部４、データ解析部５及び表示部６を備える。以下、熱コンダクタンス分布データ生成装置１は、単にデータ生成装置１と称する。データ解析システム１００は、データ生成装置１により生成されたデータを解析してその解析結果等を表示部６に表示するシステムである。
【００１５】
データ生成装置１は、図２に示す二つの部品７，８が接触する接触面の熱コンダクタンス分布データを生成する装置である。なお、データ生成装置１の詳細については後述する。
【００１６】
圧力分布データ出力部２は、二つの部品７，８がねじ締めにより接触する接触面の圧力分布データを生成する圧力分布データ生成手段である。本実施形態では、圧力分布データ出力部２は、図３に示す二つの部品７，８間に挟み込まれた感圧シート９を用いて二つの部品７，８が接触する接触面の圧力分布データを生成してデータ生成装置１に出力する。
【００１７】
接触面の圧力分布データの生成に用いられる感圧シート９は、圧力を受けると、不可逆的な色変化を起こす（色が濃くなる）感圧変色性材料からなる。感圧シート９は、受ける圧力が大きければ、その変色が濃くなり、受ける圧力が小さければ、その変色が薄くなるように形成される。
【００１８】
なお、本実施形態では、感圧シート９は、二つの部品７，８が接触する接触面に対応するように、その寸法が２０ｍｍ×１８ｍｍである正方形状のものから構成されるが、これに限定されるものではなく、上記寸法と異なる接触面に対応する寸法を有するものから構成されてもよい。
【００１９】
圧力分布データ出力部２は、感圧シート９の画像データを読み取る画像データ読取部２１と、画像データ読取部２１により読み取られた感圧シート９の画像データを接触面の圧力分布データに変換する画像・圧力データ変換部２２と、を有する。なお、画像データ読取部２１は、撮像装置（カメラ）から構成されてもよいし、スキャナーから構成されてもよい。
【００２０】
部品７は、作動時において熱を発する発熱部品であり、例えば、抵抗体、電極及びセラミックス基板を有する一般的な長方体形状の抵抗器である。抵抗器には、抵抗体及び電極と干渉しないように上下方向に沿って貫通する貫通孔７１が形成される。貫通孔７１には、ねじ締め用のねじ１０が挿通される。また、本実施形態では、部品７は、抵抗器から構成されるが、これに限定されるものではなく、作動時において熱を発する半導体部品から構成されてもよい。
【００２１】
部品８は、作動時の部品７を冷却する放熱部品であり、例えば、平板形状の冷却プレートである。冷却プレートには、貫通孔７１に対応するようにねじ１０がねじ込むことが可能なねじ穴８１が形成される。また、本実施形態では、部品７は、冷却プレートから構成されるが、これに限定されるものではなく、例えば、回路基板又はケース等から構成されてもよい。
【００２２】
二つの部品７，８は、部品７の部品８に対向する片面（下面／接触面）と部品８の部品７に対向する片面（上面／接触面）とが接触するようにねじ１０の締めにより連結される。ここで、説明の便宜上、部品７の部品８に対向する片面（下面／接触面）を歪みのある接触面とし、部品８の部品７に対向する片面（上面／接触面）を歪みのない接触面とする。図３から分かるように、感圧シート９は、ねじ１０に近ければ接触面の圧力が大きくなってその領域の変色が濃くなり、ねじ１０に遠ければ接触面の圧力が小さくなってその領域の変色が薄くなる。すなわち、二つの部品がねじ締めにより接触する接触面の圧力がねじ寄り側に偏ってしまう傾向がある。
【００２３】
歪み検出部３は、接触面の歪み（具体的には、部品７の下面の歪み）情報を検出する歪み検出手段である。歪み検出部３は、複数のレーザ変位センサからなる。本実施形態では、歪み検出部３が検出した接触面の歪み情報は、１０．０μｍである。また、本実施形態では、歪み検出部３は、複数のレーザ変位センサから構成されるが、これに限定されるものではなく、光センサ等から構成されてもよい。
【００２４】
材質選択部４は、部品７の材質と同一材質を選択する材質選択手段としての操作部である。また、本実施形態では、材質選択部４は、例えば、タッチパネル式の表示部６、マウス、或いは選択ボタン等から構成されるが、これらに限定されるものではなく、材質の選択を行えるものであれば足りる。上述のように、本実施形態では、部品７（基板）の材質は、セラミックスであるので、ユーザは、セラミックスを選択し、材質選択部４は、部品７の材質として、セラミックスを示す材質情報をデータ生成装置１に出力する。
【００２５】
データ解析部５は、データ生成装置１により生成された二つの部品７，８が接触する接触面の熱コンダクタンス分布データに基づき、様々な解析を行うデータ解析手段である。例えば、接触面の熱コンダクタンス分布データを用いて抵抗器のレイアウトを設計すること等が考えられる。
【００２６】
表示部６は、データ解析部５により解析された解析結果を表示する表示手段としてのモニタである。なお、表示部６０は、解析結果のみならず、例えば、接触面の圧力分布データ又は接触面の熱コンダクタンス分布データ等を表示してもよい。
【００２７】
本実施形態では、データ生成装置１、材質選択部４、データ解析部５及び表示部６は、一体に構成されるが、これに限定されるものではなく、例えば、別体に構成されてもよい。
【００２８】
［データ生成装置］
次に、図１から図８を参照しながら本実施形態に係るデータ生成装置１について説明する。
【００２９】
図４は、メモリー１６に記憶された歪み・セル分割数テーブルの一例を示す図である。図５は、接触面の歪みがない状態において測定した実測値を基に算出した圧力と熱コンダクタンスとの所定関係式の一例を示すグラフである。図６Ａは、複数のセルに分割された接触面の圧力分布データ（平滑化前）の一例を示す図である。図６Ｂは、図６Ａにおいて一点鎖線で囲まれた一行セルの圧力分布を示すグラフである。図７Ａは、複数のセルに分割された接触面の圧力分布データ（平滑化後）の一例を示す図である。図７Ｂは、図７Ａにおいて一点鎖線で囲まれた一行セルの圧力分布を示すグラフである。図８Ａは、接触面の熱コンダクタンス分布データの一例を示す図である。図８Ｂは、図８Ａにおいて一点鎖線で囲まれた一行セルの熱コンダクタンス分布を示すグラフである。
【００３０】
図１に示すように、データ生成装置１は、コンピュータとしてのＣＰＵ（Ｃｅｎｔｒａｌ  Ｐｒｏｃｅｓｓｉｎｇ  Ｕｎｉｔ）から構成される装置である。データ生成装置１は、圧力分布データ取得部１１、圧力分布データ平滑化部１２、熱コンダクタンス分布データ生成部１３、歪み取得部１４、分割数決定部１５、メモリー１６及び関係式決定部１７を備える。以下、圧力分布データ取得部１１、圧力分布データ平滑化部１２及び熱コンダクタンス分布データ生成部１３は、それぞれ、単に取得部１１、平滑化部１２、データ生成部１３と称する。
【００３１】
取得部１１は、有線通信又は無線通信を介して、圧力分布データ出力部２により生成された接触面の圧力分布データを取得する圧力分布データ取得手段である。
【００３２】
歪み取得部１４は、有線通信又は無線通信を介して、歪み検出部３により検出された接触面の歪み（部品７の下面の歪み）情報を取得する歪み取得手段である。本実施形態では、歪み取得部１４が取得した接触面の歪み情報は、１．０μｍである。
【００３３】
分割数決定部１５は、歪み取得部１４により取得された接触面の歪み情報に基づき、圧力分布データを複数のセルに分割するセル分割数を決定する分割数決定手段である。具体的には、分割数決定部１５は、あらかじめメモリー１６に記憶された歪み・セル分割数テーブル（図４参照）を参照し、取得された接触面の歪み情報に対応するセル分割数を選択する。
【００３４】
図４から分かるように、セル分割数は、接触面の歪みが大きいほど、大きくなるように設定される。本実施形態では、接触面の歪み情報は、１．０μｍであるため、１．０μｍの接触面の歪みに対応するセル分割数は、３６０（２０×１８）に決定される。これにより、分割された各セル内の圧力の精度が接触面の歪み増大によって低下することが抑制される。
【００３５】
メモリー１６は、部品７の材質毎に、図５に示すような接触面の歪みがない状態において測定した実測値を基に算出した圧力と熱コンダクタンスとの所定関係式を記憶するコンピュータ読み取り可能な記録媒体である。メモリー１６は、歪み・セル分割数テーブル、データ生成装置１において処理プログラムやアルゴリズムプログラムを実行する際に生成される各データ、及び表示部６に表示させる各データ等を記憶している。また、メモリー１６は、データ生成装置１において実行される処理プログラムやアルゴリズムプログラムを記憶するものであってもよい。
【００３６】
関係式決定部１７は、材質選択部４により選択された部品７の材質（セラミックス）に基づき、メモリー１６に記憶された複数の所定関係式の中から一つの所定関係式（図５参照）を決定（選択）する関係式決定手段である。すなわち、関係式決定部１７は、材質選択部４から出力されたセラミックスを示す材質情報に基づき、メモリー１６に記憶された複数の所定関係式の中から一つの所定関係式（図５参照）を決定（選択）する関係式決定手段である。
【００３７】
図５に示す所定関係式は、セミラックスに適したものである。具体的には、一つの所定関係式は、接触面の歪みがない状態において測定した実測値を基に算出した複数の圧力と熱コンダクタンスとの関係を示す関係式である。なお、所定関係式において、接触面の熱コンダクタンスは、接触面の圧力の約２／３である。
【００３８】
平滑化部１２は、取得部１１により取得された圧力分布データを複数のセルに分割し、分割された各セル内の圧力を一つの値となるように平滑化する圧力分布データ平滑化手段である。
【００３９】
セル分割部１２１は、セル分割決定部１５により決定されたセル分割数に基づき、取得部１１により取得された圧力分布データを、同一サイズを有する複数のセルに分割するセル分割手段である。セル分割部１２１は、圧力分布データを複数のセルに分割することにより、平滑化された圧力分布データの精度がセルサイズの差異によって低下することが抑制される。本実施形態では、平滑化される前の圧力分布データは、３６０のセルに分割されている（図６Ａ参照）。
【００４０】
平滑化された圧力分布データの精度がセルサイズの増大によって低下することを抑制する観点から、各セルを、その両辺のいずれも１．５ｍｍ以下となるように微小化にすることが好ましい。各セルの両辺のうちのいずれか一つが１．５ｍｍを超える場合、セルのサイズが大きすぎるので、平滑化された圧力分布データの精度が低下してしまうことを抑制しにくくなる。また、各セルは、その両辺のいずれも１．０ｍｍ以下であることがより好ましく、０．３ｍｍ以下であることが更に好ましい。なお、本実施形態では、図６Ａに示すように、各セルは、その両辺のいずれも１．０ｍｍである。
【００４１】
図６Ｂに示すグラフでは、図６Ａの横方向に沿って配列される一行セルを横軸とし、圧力を縦軸とする。図６Ｂに示すように、各セル内の圧力は、一つの値ではないため、各セル内の圧力を数値化にすることができない。よって、数値化されていない各セル内の圧力をそのまま用いて熱コンダクタンスに変換することができない。
【００４２】
そこで、各セル内の圧力の値を用いて熱コンダクタンスの値に変換するために、圧力平滑化部１２２は、分割された各セル内の圧力を一つの値となるように平滑化し、平滑化された圧力分布データを生成する圧力平滑化手段である（図７Ａ参照）。具体的には、圧力平滑化部１２２は、分割された各セル内の圧力の最大値を当該セルの圧力として算出し、算出された圧力の集合を平滑化された圧力分布データとして生成する。これにより、各セル内の圧力の精度をある程度維持しつつ各セル内の圧力を簡易に数値化にすることができる。
【００４３】
図７Ｂに示すグラフでは、図６Ｂと同様に、図７Ａの横方向に沿って配列される一行セルを横軸とし、圧力を縦軸とする。図７Ｂに示すように、各セル内の圧力は、一つの値に数値化されている。よって、数値化されている各セル内の圧力をそのまま用いて熱コンダクタンスに変換することができる。
【００４４】
データ生成部１３は、平滑化部１２により平滑化された各セル内の圧力を熱コンダクタンスに変換し、熱コンダクタンス分布データを生成するデータ生成手段である。すなわち、データ生成部１３は、平滑化部１２により平滑化された圧力分布データを熱コンダクタンス分布データに変換する変換部である。
【００４５】
具体的には、データ生成部１３は、関係式決定部１７により決定された所定関係式（図５参照）に基づき、各セル内の圧力を一つの値となる熱コンダクタンスに変換し、熱コンダクタンス分布データ（図８Ａ参照）を生成してデータ解析部５に出力する。
【００４６】
図８Ｂに示すグラフでは、図８Ａの横方向に沿って配列される一行セルを横軸とし、熱コンダクタンスを縦軸とする。図８Ｂに示すように、各セル内の熱コンダクタンスは、一つの値となる圧力から変換されるため、一つの値となる。このように、熱コンダクタンス分布データは、平滑化部１２により平滑化された圧力分布データから変換される。
【００４７】
上述のように、圧力・熱コンダクタンスの変換に用いられる、複数の圧力と熱コンダクタンスとの所定関係式は、接触面の歪みがない状態において測定した実測値を基に算出したものであるため、理論関係式に基づき各セル内の圧力を熱コンダクタンスに変換する方式に比べ、より精度の高い接触面の熱コンダクタンス分布データを生成することができる。
【００４８】
［熱コンダクタンス分布データ生成の処理］
次に、図９から図１１を参照しながら、データ生成装置１が接触面の熱コンダクタンス分布データを生成する処理について説明する。
【００４９】
図９は、データ生成装置１が接触面の熱コンダクタンス分布データを生成する処理手順を示すフローチャートである。
【００５０】
［メイン処理］
まず、図９を参照しながら熱コンダクタンス分布データ生成のメイン処理について説明する。
【００５１】
図９に示すように、スタートにおいて、データ生成装置１の電源をオンにして、ステップＳ１に進む。
【００５２】
ステップＳ１において、取得部１１は、有線通信又は無線通信により、圧力分布データ出力部２により生成された圧力分布データ（平滑化前）を取得し、ステップＳ２に進む。
【００５３】
ステップＳ２において、データ生成装置１は、圧力分布データの分割処理を行い、ステップＳ３に進む。なお、圧力分布データの分割処理の詳細については後述する。
【００５４】
ステップＳ３において、圧力平滑化部１２２は、分割されたセル内の圧力を一つの値となるように平滑化し、平滑化された圧力分布データを生成し、ステップＳ４に進む。具体的には、ステップＳ３において、圧力平滑化部１２２は、分割された各セル内の圧力の最大値を当該セルの圧力として算出し、算出された圧力の集合を平滑化された圧力分布データとして生成し、ステップＳ４に進む。
【００５５】
ステップＳ４において、データ生成部１３は、平滑化部１２により平滑化された各セル内の圧力を熱コンダクタンスに変換し、熱コンダクタンス分布データを生成する。その後、データ生成装置１が接触面の熱コンダクタンス分布データを生成する処理を終了させる。なお、熱コンダクタンス分布データの生成処理の詳細については後述する。
【００５６】
［圧力分布データの分割処理］
次に、図１０を参照しながらメイン処理における圧力分布データの分割処理について説明する。
【００５７】
図１０は、図９の圧力分布データの分割処理を示すフローチャートである。
【００５８】
まず、ステップＳ２１において、歪み取得部１４は、有線通信又は無線通信により、歪み検出部３により検出された接触面の歪み情報を取得し、ステップＳ２２に進む。
【００５９】
ステップＳ２２において、分割数決定部１５は、歪み取得部１４により取得された接触面の歪み情報に基づき、圧力分布データを複数のセルに分割するセル分割数を決定し、ステップＳ２３に進む。具体的には、ステップＳ２２において、分割数決定部１５は、あらかじめメモリー１６に記憶された歪み・セル分割数テーブルに基づき、取得された接触面の歪みに対応するセル分割数を選択し、ステップＳ２３に進む。
【００６０】
ステップＳ２３において、セル分割部１２１は、セル分割決定部１５により決定されたセル分割数に基づき、圧力分布データを、同一サイズを有する複数のセルに分割し、メイン処理に戻る。
【００６１】
［熱コンダクタンス分布データの生成処理］
次に、図１１を参照しながらメイン処理における熱コンダクタンス分布データの生成処理について説明する。
【００６２】
図１１は、図９の熱コンダクタンス分布データの生成処理を示すフローチャートである。
【００６３】
まず、ステップＳ４１において、関係式決定部１７は、材質選択部４により選択された部品７の材質に基づき、メモリー１６に記憶された複数の所定関係式から一つの所定関係式を決定（選択）し、ステップＳ４２に進む。
【００６４】
ステップＳ４２において、データ生成部１３は、関係式決定部１７により決定された所定関係式に基づき、各セル内の圧力を一つの値となる熱コンダクタンスに変換し、熱コンダクタンス分布データを生成し、メイン処理に戻る。
【００６５】
このように、データ生成装置１は、ステップＳ１からステップＳ４までの処理手順を実行することにより、温度測定又は熱シミュレーションを行うことなく、接触面の圧力分布データに対応する接触面の熱コンダクタンス分布データを生成することができる。
【００６６】
次に、本実施形態による作用効果について説明する。
【００６７】
以上述べたように、本実施形態に係るデータ生成装置１は、二つの部品７，８が接触する接触面の熱コンダクタンス分布データを生成するものである。このデータ生成装置１は、接触面の圧力分布データを取得する取得部１１と、取得部１１により取得された圧力分布データを複数のセルに分割し、分割された各セル内の圧力を一つの値となるように平滑化する平滑化部１２と、平滑化部１２により平滑化された各セル内の圧力を熱コンダクタンスに変換し、熱コンダクタンス分布データを生成するデータ生成部１３と、を備える。
【００６８】
これによれば、平滑化部１２は、取得部１１により取得された接触面の圧力分布データを複数のセルに分割し、分割された各セル内の圧力を一つの値となるように平滑化するので、分割された各セル内の圧力を数値化にすることができる。また、データ生成部１３は、平滑化部１２により平滑化された各セル内の圧力を熱コンダクタンスに変換し、熱コンダクタンス分布データを生成するので、数値化された各セル内の圧力を熱コンダクタンスに変換することができ、温度測定又は熱シミュレーションを行うことなく、接触面の圧力分布データに対応する接触面の熱コンダクタンス分布データを生成することができる。
【００６９】
また、本実施形態において、複数のセルは、同一サイズを有する。
【００７０】
これによれば、複数のセルは、同一サイズを有するので、平滑化された圧力分布データの精度がセルサイズの差異によって低下することが抑制され、平滑化された圧力分布データから変換された熱コンダクタンス分布データの精度を高めることができる。
【００７１】
また、本実施形態において、各セルは、その両辺のいずれも１．５ｍｍ以下である。
【００７２】
これによれば、各セルをその両辺のいずれも１．５ｍｍ以下となるように微小化にすることで、平滑化された圧力分布データの精度がセルサイズの増大によって低下することが抑制されるので、圧力分布データから変換された熱コンダクタンス分布データの精度をより高めることができる。
【００７３】
また、本実施形態において、データ生成装置１は、接触面の歪み情報を取得する歪み取得部１４と、歪み取得部１４により取得された接触面の歪み情報に基づき、圧力分布データを複数のセルに分割するセル分割数を決定する分割数決定部１５と、を更に備える。そして、平滑化部１２は、分割数決定部１５により決定されたセル分割数に基づき、圧力分布データを複数のセルに分割する。
【００７４】
これによれば、分割数決定部１５は、歪み取得部１４により取得された接触面の歪み情報に基づき、圧力分布データを複数のセルに分割するセル分割数を決定するので、当該セル分割数により分割された各セル内の圧力の精度が接触面の歪みによって低下することが抑制される。したがって、各セル内の圧力から変換された各セル内の熱コンダクタンスの精度を高めることができる。これにより、精度の高い接触面の熱コンダクタンス分布データを生成することができる。
【００７５】
また、本実施形態において、分割数決定部１５は、接触面の歪みが大きいほど、セル分割数が大きくなるようにセル分割数を決定する。
【００７６】
これによれば、分割数決定部１５は、接触面の歪みが大きいほど、セル分割数が大きくなるようにセル分割数を決定するので、分割された各セル内の圧力の精度が接触面の歪み増大によって低下することが抑制され、各セル内の圧力から変換された各セル内の熱コンダクタンスの精度を高めることができる。これにより、精度の高い接触面の熱コンダクタンス分布データを生成することができる。
【００７７】
また、本実施形態において、平滑化部１２は、分割された各セル内の圧力の最大値を当該セルの圧力として算出する。
【００７８】
これによれば、平滑化部１２は、分割された各セル内の圧力の最大値を当該セルの圧力として算出するので、各セル内の圧力の精度をある程度維持しつつ各セル内の圧力を簡易に数値化にすることができる。
【００７９】
また、本実施形態において、材質毎に接触面の歪みがない状態を基に算出した、圧力と熱コンダクタンスとの所定関係式を記憶するメモリー１６と、部品７の材質に基づき、メモリー１６に記憶された複数の所定関係式から一つの所定関係式を決定する関係式決定部１７と、を更に備え、データ生成部１３は、関係式決定部１７により決定された所定関係式に基づき、各セル内の圧力を熱コンダクタンスに変換する。
【００８０】
これによれば、データ生成部１３は、接触面の歪みがない状態を基に算出した圧力と熱コンダクタンスとの所定関係式に基づき、各セル内の圧力を熱コンダクタンスに変換するので、接触面の熱コンダクタンス分布データを生成することができる。また、上記変換に用いられる所定関係式は、関係式決定部１７により、部品７の材質に基づきメモリー１６に記憶された複数の所定関係式から決定されるので、部品７の材質に適した所定関係式を上記変換に用いることができ、精度の高い接触面の熱コンダクタンス分布データを生成することができる。
【００８１】
本実施形態に係る熱コンダクタンス分布データ生成方法は、二つの部品７，８が接触する接触面の熱コンダクタンス分布データを生成するものであって、接触面の圧力分布データを取得するステップと、取得された圧力分布データを複数のセルに分割し、分割された各セル内の圧力を一つの値となるように平滑化するステップと、平滑化された各セル内の圧力を熱コンダクタンスに変換し、熱コンダクタンス分布データを生成するステップと、を含むものである。
【００８２】
本実施形態に係る熱コンダクタンス分布データ生成用プログラムは、コンピュータに、二つの部品が接触する接触面の圧力分布データを取得するステップと、取得された圧力分布データを複数のセルに分割し、分割された各セル内の圧力を一つの値となるように平滑化するステップと、平滑化された各セル内の圧力を熱コンダクタンスに変換し、熱コンダクタンス分布データを生成するステップと、を実行させるものである。
【００８３】
これらによれば、取得された接触面の圧力分布データを複数のセルに分割し、分割された各セル内の圧力を一つの値となるように平滑化するので、分割された各セル内の圧力を数値化にすることができる。また、平滑化された各セル内の圧力を熱コンダクタンスに変換し、熱コンダクタンス分布データを生成するので、数値化された各セル内の圧力を熱コンダクタンスに変換することができ、温度測定又は熱シミュレーションを行うことなく、接触面の圧力分布データに対応する、精度の高い接触面の熱コンダクタンス分布データを生成することができる。
【００８４】
以上、本実施形態について説明したが、上記実施形態は、本発明の適用例の一部を示したに過ぎず、本発明の技術的範囲を上記実施形態の具体的構成に限定する趣旨ではない。
【００８５】
［変形例］
上記実施形態では、圧力分布データ出力部２は、感圧シート９を用いて接触面の圧力分布データを生成したが、これに限定されるものではなく、例えば、圧力センサ（実測）又は応力シミュレーション（数値解析）等を用いて接触面の圧力分布データを生成してもよい。この場合、圧力分布データ出力部２は、必ずしも画像データ読取部２１及び画像・圧力データ変換部２２を設ける必要がない。
【００８６】
また、上記実施形態では、圧力分布データを複数のセルに分割するセル分割数は、歪み検出部３により検出された接触面の歪み情報に基づき、分割数決定部１５により決定されたが、これに限定されるものではなく、例えば、接触面の歪み情報によらず、ユーザ自身に設定自由に構成されてもよい。この場合、分割数決定部１５を設けずに、セル分割数選択部をデータ解析システム１００に設ける必要がある。
【００８７】
また、上記実施形態では、分割数決定部１５は、接触面の歪み情報に基づき、セル分割数を決定したが、これに限定されるものではなく、例えば、接触面の歪み情報及び接触面の面積の両方に基づき、セル分割数を決定してもよい。
【００８８】
また、上記実施形態では、メモリー１６は、データ生成装置１に内蔵されたが、これに限定されるものではなく、例えば、データ生成装置１とは別体に設けられてもよい。
【００８９】
また、上記実施形態では、圧力平滑化部１２２は、分割された各セル内の圧力の最大値を当該セルの圧力として算出したが、これに限定されるものではなく、分割された各セル内の圧力の平均値を当該セルの圧力として算出してもよい。この場合、変換に用いられる各セル内の圧力の精度を高めることができる。
【００９０】
また、上記実施形態では、データ解析システム１００及びデータ生成装置１は、それぞれ、材質選択部４及び関係式決定部１７を備えたが、これに限定されるものではなく、材質選択部４及び関係式決定部１７を備えなくてもよい。この場合、メモリー１６には、接触面の圧力と熱コンダクタンスとの関係を示す一つの所定関係式のみがあらかじめ記憶されており、データ生成部１３は、メモリー１６に記憶された１つの所定関係式に基づき、各セル内の圧力を熱コンダクタンスに変換する。
【００９１】
また、上記実施形態では、所定関係式は、接触面の歪みがない状態において測定した実測値を基に算出したものであったが、これに限定されるものではなく、理論関係式であってもよい。
【符号の説明】
【００９２】
１      データ生成装置
２      圧力分布データ出力部
３      歪み検出部
４      材質選択部
５      データ解析部
６      表示部
７      部品（抵抗器）
８      部品（冷却プレート）
９      感圧シート
１１    圧力分布データ取得部
１２    圧力分布データ平滑化部
１３    熱コンダクタンス分布データ生成部
１４    歪み取得部
１５    分割数決定部
１６    メモリー
１７    関係式決定部
１００  データ解析システム
【図１】
2020118512.tif 000003
【図２】
2020118512.tif 000004
【図３】
2020118512.tif 000005
【図４】
2020118512.tif 000006
【図５】
2020118512.tif 000007
【図６Ａ】
2020118512.tif 000008
【図６Ｂ】
2020118512.tif 000009
【図７Ａ】
2020118512.tif 000010
【図７Ｂ】
2020118512.tif 000011
【図８Ａ】
2020118512.tif 000012
【図８Ｂ】
2020118512.tif 000013
【図９】
2020118512.tif 000014
【図１０】
2020118512.tif 000015
【図１１】
2020118512.tif 000016